(57)【要約】【課題】  高速記録において、オーバーライト特性、特に、高温の環境に媒体を一定時間保存したのち情報を重ね書きするアーカイバルオーバーライト特性が良好な情報記録方法、情報記録媒体およびこれを用いた情報記録装置を提供する。【解決手段】  情報記録方法は、予定した記録パワーと種々の消去パワーの光で、ランダムパターンをオーバーライトし、ランダムパターンを再生して、再生ジッターが所定の閾値を越えるパターンを消去したときの消去パワーの最小値Ｐｂ１及び最大値Ｐｂ２を求め、最小値Ｐｂ１及び最大値Ｐｂ２と、Ｐｂ＝α×Ｐｂ１＋（１−α）×Ｐｂ２で表される関係式から、最適消去パワーＰｂを求め、求めた最適消去パワーＰｂを用いて情報を記録を行う。α値が情報記録媒体に予め記録されており、情報記録装置のＰｂ算出制御部は最適消去パワーＰｂを決定する際にα値を読み出す。【選択図】  図４
2007234222.tif 000002
【特許請求の範囲】
【請求項１】
相変化記録方式の情報記録媒体に、記録パワーレベルと消去パワーレベルにパワー変調された光を照射して情報を記録する方法であって：
予め定められた記録パワーと種々の消去パワーの光で、ランダムパターンを情報記録媒体にオーバーライトすることと；
オーバーライトしたランダムパターンを再生して、再生ジッターまたは再生エラーが所定の閾値を超えるパターンを消去したときの消去パワーの最小値Ｐｂ１及び最大値Ｐｂ２を求めることと；
求めた最小値Ｐｂ１及び最大値Ｐｂ２と、Ｐｂ＝α×Ｐｂ１＋（１−α）×Ｐｂ２で表される関係式から、記録のための最適な消去パワーＰｂを求めることと；
求めた最適な消去パワーＰｂを用いて情報を記録することと；を備え
情報が異なる記録速度で記録されるときに、記録速度に応じてαが０＜α≦０．５０の範囲で異なり且つ記録速度が大きくなるほどαが小さくなり、前記記録速度が８．２ｍ／ｓのとき、α＝０．５０であることを特徴とする情報記録方法。
【請求項２】
請求項１に記載の情報記録方法により情報が記録される相変化記録方式の情報記録媒体であって、
記録パワーＰｐ及び記録パワーＰｐよりも低い消去パワーＰｂを有する光ビームが照射されて情報が記録され、消去パワーＰｂより低い再生パワーＰｒの光ビームが照射されて情報の再生が行なわれる情報記録部と；
コントロールデータ部と；を備え、
コントロールデータ部に、Ｐｒ＜Ｐｂ１＜Ｐｂを満たす最低消去パワーＰｂ１と、Ｐｂ＜Ｐｂ２＜Ｐｐを満たす最高消去パワーＰｂ２とから、最適な消去パワーＰｂを求めるための情報としてＰｂ＝α×Ｐｂ１＋（１−α）×Ｐｂ２の式で表されるαが予め記録されており、該αが記録速度に関する情報とともに記録されており、該αが記録速度に応じて０＜α≦０．５０の範囲で異なり且つ記録速度が大きくなるほどαが小さくなり、前記記録速度が８．２ｍ／ｓのとき、α＝０．５０であることを特徴とする情報記録媒体。
【請求項３】
相変化記録方式の情報記録媒体に、記録パワーレベルと消去パワーレベルにパワー変調された光を照射して情報を記録する方法であって：
一方の記録速度が他方の記録速度の２倍以上である２つの記録速度における最適な消去パワーを求めるための情報がそれぞれ記録された上記情報記録媒体から、一方及び他方のいずれか一方の記録速度における最適な消去パワーを求めるための情報を読み出すことと；
読み出された前記情報に基づいて最適な消去パワーを求めることと；を備える情報記録方法。
【請求項４】
各記録速度における前記最適な消去パワーをＰｂ、記録パワーをＰｐ、そして、再生パワーをＰｒとしたとき、Ｐｒ＜Ｐｂ１＜Ｐｂを満たす消去パワーの最小値Ｐｂ１と、Ｐｂ＜Ｐｂ２＜Ｐｐを満たす消去パワーの最大値Ｐｂ２とから、最適な消去パワーＰｂを求めるための情報としてＰｂ＝α×Ｐｂ１＋（１−α）×Ｐｂ２の式で表されるαが予め上記情報記録媒体に記録されており、
前記読み出された前記情報に基づいて最適な消去パワーを求めることが、
予め定められた記録パワーと種々の消去パワーの光で、ランダムパターンを情報記録媒体にオーバーライトすることと、
オーバーライトしたランダムパターンを再生して、再生ジッターまたは再生エラーが所定の閾値を超えるパターンを消去したときの消去パワーの最小値Ｐｂ１及び最大値Ｐｂ２を求めることと、
前記情報記録媒体から読み出したαと、求めた最小値Ｐｂ１及び最大値Ｐｂ２と、Ｐｂ＝α×Ｐｂ１＋（１−α）×Ｐｂ２で表される関係式から、記録のための最適な消去パワーＰｂを求めることとを含むことを特徴とする請求項３に記載の情報記録方法。
【発明の詳細な説明】
【技術分野】
【０００１】
本発明は、レーザービームの照射により情報の記録が可能な情報記録方法及び情報記録媒体に関する。より詳しくは、高速記録におけるオーバーライト特性、特に、高温の環境に媒体を一定時間保存したのち情報を重ね書きするアーカイバルオーバーライト特性を改善し得る情報記録方法及び情報記録媒体並びに情報記録装置に係る。
【背景技術】
【０００２】
近年、ＤＶＤ−ＲＯＭ、ＤＶＤ−Ｖｉｄｅｏ等の再生専用型光ディスク市場が拡大している。また、ＤＶＤ−ＲＡＭやＤＶＤ−ＲＷ、ＤＶＤ＋ＲＷといった書き換え可能なＤＶＤが市場投入され、コンピュータ用バックアップ媒体、ＶＴＲに代わる映像記録媒体として、市場が拡大しつつある。さらに、ここ数年、記録型ＤＶＤにおける転送レート、アクセススピード向上に対する市場の要求が増大してきている。
【０００３】
ＤＶＤ−ＲＡＭ、ＤＶＤ−ＲＷ等の記録消去可能な記録型ＤＶＤ媒体では、相変化記録方式が採用されている。相変化記録方式では、基本的に「０」と「１」の情報を結晶とアモルファスに対応させて記録を行なっている。この結晶化した部分とアモルファス化した部分にレーザービームを照射し、反射光を再生させることにより、記録された「０」と「１」を検出できる。
【０００４】
所定の位置をアモルファスにするためには、比較的高いパワーのレーザービームを照射することにより、記録層の温度が記録層材料の融点以上になるように加熱する。また、所定の位置を結晶にするためには、比較的低いパワーのレーザービームを照射することにより、記録層の温度が記録層材料の融点以下の結晶化温度付近になるように加熱する。こうすることにより、アモルファス状態と結晶状態を可逆的に変化させることができる。通常の記録型ＤＶＤ媒体において、オーバーライトを行なう際には、記録レーザーパワーとそれよりも低い消去レーザーパワーの間で記録パルスの変調を行ない、既に記録されているアモルファスのマークを消去しながら新しい記録を行なう。
【０００５】
良好なオーバーライト特性を実現する光記録媒体として、例えば、特許文献１に記載されているように、記録パワーレベルが最適記録パワー以下の値であってかつ消去パワーレベルが最適消去パワーより高い値であるパワーでオーバーライトすることを特徴とする光記録媒体が知られている。
【０００６】
消去パワーの最適化方法に関して、ＤＶＤ−ＲＡＭの２倍速記録（記録速度８．２ｍ／ｓｅｃ、転送レート２２Ｍｂｐｓ）のドライブを例にとると、ディスクに書かれている記録パワーの情報を用いて、データの試し書きを行ない、消去パワーを求めている。このとき、エラーレートの閾値を超える低パワー側と高パワー側の消去パワーの値を求め、最適な消去パワーをちょうど両者の中心となるように設定する。
【０００７】
【特許文献１】特開平０８−００７３４３号公報
【発明の開示】
【発明が解決しようとする課題】
【０００８】
このような記録型ＤＶＤ媒体において転送レート、アクセススピードを向上するためには、記録速度を高めて、短時間で記録消去を行なうことが必要である。しかしながら、高速記録を行なうにあたり問題となるのが、媒体に情報をオーバーライトする際の記録消去特性である。高速記録を行なう場合、レーザービームが、情報を記録したアモルファス状態のマーク位置を通過する時間が短くなり、さらに、結晶化温度に保持される時間も短くなる。結晶化温度に保持される時間が短すぎると、十分な結晶成長することができないため、上記従来技術では、高速記録を行なうとオーバーライト特性が劣化してしまう。本発明者らがさらに検討した結果、高速記録を行なった媒体を、高温の環境に一定時間保存したのち、常温にとりだして重ね書きを行なった場合に、著しくオーバーライト特性が劣化することが分かった。本発明では、この高温の環境に媒体を一定時間保存したのち情報を重ね書きする際の特性を、通常のオーバーライト特性と特に区別し、アーカイバルオーバーライト特性と呼ぶ。
【０００９】
上述した特許文献１の技術は、初期化処理を高速化したときの結晶化むらによるオーバーライト特性の劣化を改善するものであり、実施例における記録速度も７．５ｍ／ｓｅｃと現行のＤＶＤ−ＲＡＭの２倍速記録である８．２ｍ／ｓｅｃ以下であり、特に８．０ｍ／ｓｅｃを超えるような高速記録における問題、さらには、アーカイバルオーバーライト特性の問題を考慮した解決策ではない。また、消去パワーの範囲も最適消去パワーより高くかつ記録層が溶融しない最大パワーより低いとしか記載されておらず、この方法では高速記録を行なった場合に、隣接トラックの記録によりマークが消去されてしまう、あるいは、隣接トラックからの再生信号の漏れこみが発生しやすくなるという問題が発生する場合があることが分った。
【００１０】
したがって、本発明の目的は、上記従来技術の問題点を解決し、高速記録におけるオーバーライト特性、特に、高温の環境に媒体を一定時間保存したのち情報を重ね書きするアーカイバルオーバーライト特性を改善し得る情報記録方法及び情報記録媒体並びに情報記録装置を提供することにある。
【課題を解決するための手段】
【００１１】
本発明の第１の態様に従えば、情報記録媒体に、記録パワーレベルと消去パワーレベルにパワー変調された光を照射して情報を記録する方法であって：
予め定められた記録パワーと種々の消去パワーの光で、ランダムパターンを情報記録媒体にオーバーライトし；
オーバーライトしたランダムパターンを再生して、再生ジッターまたは再生エラーが所定の閾値を超えるパターンを消去したときの消去パワーの最小値Ｐｂ１及び最大値Ｐｂ２を求め；
求めた最小値Ｐｂ１及び最大値Ｐｂ２と、Ｐｂ＝α×Ｐｂ１＋（１−α）×Ｐｂ２で表される関係式から、記録を行なうための最適な消去パワーＰｂを求め；
求めた最適な消去パワーＰｂを用いて情報を記録することを特徴とする情報記録方法が提供される。
【００１２】
本発明の情報記録方法は、さらに、求めた最適な消去パワーＰｂを用いて最適記録パワーＰｐを決定することを含み得る。また、情報記録媒体に上記αの値が予め記録されており、情報記録の際に、情報記録媒体から上記αの値が読み出され得る。再生パワーをＰｒとしたときに、Ｐｒ＜Ｐｂ１＜Ｐｂ及びＰｂ＜Ｐｂ２＜Ｐｐが満たされ得る。本発明の記録方法において情報が異なる記録速度で記録されるときに、記録速度に応じてαがα≦０．５０の範囲で異なる。
【００１３】
本発明の第２の態様に従えば、情報が記録及び再生される情報記録媒体であって、
記録パワーＰｐ及び記録パワーＰｐよりも低い消去パワーＰｂを有する光ビームが照射されて情報が記録され、消去パワーＰｂより低い再生パワーＰｒの光ビームが照射されて情報の再生が行なわれる情報記録部と；
コントロールデータ部と；を備え、
コントロールデータ部に、Ｐｒ＜Ｐｂ１＜Ｐｂを満たす最低消去パワーＰｂ１と、Ｐｂ＜Ｐｂ２＜Ｐｐを満たす最高消去パワーＰｂ２とから、最適な消去パワーＰｂを求めるための情報が予め記録されていることを特徴とする情報記録媒体が提供される。
【００１４】
本発明の第３の態様に従えば、情報記録媒体に、記録パワーレベルと消去パワーレベルにパワー変調された光を照射して情報を記録する情報記録装置であって：
情報記録媒体に光を照射する光ヘッドと；
光ヘッドから記録パワーレベルと消去パワーレベルにパワー変調された光を出力するように光ヘッドを駆動するドライバと；
予め定められた記録パワーと種々の消去パワーの光でオーバーライトされたランダムパターンを再生して、再生ジッターまたは再生エラーが所定の閾値を越えるパターンを消去したときの消去パワーの最小値Ｐｂ１及び最大値Ｐｂ２を求め、情報記録媒体に予め記録された、式Ｐｂ＝α×Ｐｂ１＋（１−α）×Ｐｂ２で使われる係数αを読み出し、求めた最小値Ｐｂ１及び最大値Ｐｂ２と読み出した係数αから、記録を行なうときの最適な消去パワーＰｂを求めるＰｂ算出制御部と；を備える情報記録装置が提供される。
【００１５】
本発明者らは、高速記録における従来技術の問題点を改善すべく、高速記録におけるアーカイバルオーバーライト特性の劣化を以下のように考えた。図１に示すように、レーザービームの通過位置と情報記録媒体上に記録されるマークの形状の位置関係から分るように、レーザービーム通過位置の中心付近のマークの領域Ａと、レーザービームの中心から離れた場所のマークの領域Ｂとでは、記録の高速化によって、レーザービームの通過に伴う温度履歴が異なると考えられる。
【００１６】
まず、最初に、データの記録工程について考える。図２に、記録パワーが照射された場合の、領域Ａおよび領域Ｂの時間に対する温度履歴の模式図を示す。レーザービーム通過の中心付近のマーク領域Ａにおける温度履歴は、融点を超えた後、緩やかに、結晶成長温度から結晶核生成温度、室温へと下がる。これに対し、レーザービーム通過の中心付近から離れた領域Ｂにおける温度履歴は、領域Ａの温度履歴と比較し、特に結晶核生成の時間が短くなると考える。オーバーライトを行なう際には、一度、アモルファスの状態から結晶の状態にマークを消去したのち、アモルファス状態のマーク記録を行なう。領域Ｂでは、領域Ａと比較してアモルファス中の結晶核が少ないために、結晶状態に戻す消去が促進されず、その結果、全体のマークのオーバーライト特性が悪くなると考える。つまり、高速記録になればなるほど、領域Ａと領域Ｂの温度履歴に差が生じ、かつ、領域Ｂの結晶核生成が少なくなるために、特に、高温の環境に媒体を一定時間保存したのち情報を重ね書きするアーカイバルオーバーライト特性が悪くなると考えられる。
【００１７】
次に、データの消去工程について考える。図３に、消去パワーが照射された場合の、領域Ａおよび領域Ｂの時間に対する温度履歴の模式図を示す。レーザービーム通過の中心付近のマーク領域Ａにおける温度履歴は、結晶化温度に一定時間保持された後、徐々に室温へと下がる。これに対し、レーザービーム通過の中心付近から離れた領域Ｂにおける温度履歴は、領域Ａの温度履歴と比較し、結晶化温度に保たれる時間が短くなると考える。その結果、領域Ｂでは領域Ａと比較し、アモルファス状態から結晶化状態に戻すデータの消去が十分に行なわれず、特に、高温の環境に媒体を一定時間保存したのち情報を重ね書きする際に、全体のマークのアーカイバルオーバーライト特性が悪くなると考える。すなわち、上記データの記録過程における結晶核生成の減少、および、消去過程における結晶化の不充分が、記録の高速化に伴ってアーカイバルオーバーライト特性が悪くなる現象の原因と考えられる。
【００１８】
本発明者らは、上記知見に基づいて、本発明の第１の態様に従う情報記録方法、第２の態様に従う情報記録媒体及び第３の態様に従う情報記録装置を完成した。本発明の情報記録方法、情報記録媒体及び情報記録装置を用いれば、各情報記録装置が、情報記録に先立ってレーザーパワー設定のための試し書きを行なう際に、各情報記録媒体にとって、アーカイバルオーバーライト性能が最良となる消去レーザーパワーレベルＰｂを設定することが可能となる。
【００１９】
例えば、通常、光ディスクドライブのような情報記録装置では、光ディスクに情報記録を行なう前に、最適なＰｐ、Ｐｂを求めるため、試し書きを行なう。この際、光ディスクドライブでは、レーザーパワーを変化させながら、情報の記録を行ない（オーバーライト）、このときに記録された情報のエラー数を測定する。例えば、最適な消去パワーレベルＰｂを決定する際には、上記エラー数が一定の基準以上となる最低消去パワーレベルＰｂ１と、最高消去パワーレベルＰｂ２を測定し、その中間のパワーレベルをＰｂとする。発明者らは、このようにして、決定された消去パワーレベルはアーカイバルオーバーライト性能にとっては、必ずしも、最適な消去パワーレベルではないことを明らかにした。あらかじめ、Ｐｂ１、Ｐｂ２と最適な消去パワーレベルＰｂの関係、特に、Ｐｂ＝α×Ｐｂ１＋（１−α）×Ｐｂ２における係数αを情報記録媒体上に記録しておくことにより、長期間保存後においても、記録性能が劣化が少ない情報記録媒体が提供される。また、そのような情報記録媒体からＰｂ＝α×Ｐｂ１＋（１−α）×Ｐｂ２における係数αの値を読み出して、最適な消去パワーレベルＰｂを決定し、記録速度ごとに好適な消去パワーレベルＰｂを用いて記録を実行することができる記録方法が提供される。Ｐｂ２の物理的な意味は、結晶状態からアモルファス状態に変化し始めるレーザーパワーレベルであり、Ｐｂ１はアモルファス状態から結晶状態に変化し始めるレーザーパワーレベルである。Ｐｂ１、Ｐｂ２を、例えば、再生信号のジッターレベルを閾値としたパワーレベルによって、定義することもできるし、先に説明したように、情報のエラー数を閾値にして定義することもできる。いずれにしても、上記αの値が記録されている情報記録媒体から再生された情報により、アーカイバルオーバーライト特性が最良となる消去レーザーパワーレベルＰｂを、Ｐｂ１とＰｂ２の値を用いて設定することができ、アーカイバルオーバーライト特性を改善することが可能となる。
【００２０】
本発明の情報記録媒体において、上記ＰｂとＰｂ１とＰｂ２の関係に関する情報が、記録速度に関する情報とともに記録されている情報記録媒体を用いれば、ＣＡＶ（Ｃｏｎｓｔａｎｔ  Ａｎｇｕｌａｒ  Ｖｅｌｏｃｉｔｙ）方式の情報記録装置のように、記録半径毎に記録速度が変わる場合、各記録速度に応じてアーカイバルオーバーライト特性が最良となる消去パワーを、設定することができ、アーカイバルオーバーライト特性を改善することが可能となる。
【００２１】
また、本発明の情報記録媒体において、上記ＰｂとＰｂ１とＰｂ２の関係に関する情報が、ＰｂをＰｂ１とＰｂ２との比率αを用いて、Ｐｂ＝α×Ｐｂ１＋（１−α）×Ｐｂ２で定義され得る。この情報記録媒体を用いれば、現在市販されているＤＶＤ−ＲＡＭの２倍速記録（記録速度８．２ｍ／ｓｅｃ、転送レート２２Ｍｂｐｓ）のドライブで消去パワーの最適化を行なう際に用いている消去パワーのマージン曲線をもとにして、アーカイバルオーバーライト特性を最良にする最適な消去パワーを各々の記録速度毎に設定することが可能となり、記録速度によるアーカイバルオーバーライト特性のばらつきがなくなり、特にドライブの複雑な設計変更も必要でないことから、記録速度の高速化におけるドライブの下位互換を保証することが可能となる。
【００２２】
また、本発明の情報記録媒体において、αの値がα≦０．５０であれば、消去パワーＰｂの値を０．５０×Ｐｂ１＋０．５０×Ｐｂ２以上の値に設定することで、高速オーバーライトの消去時のレーザーエネルギーを高め、結晶化温度以上に保つ時間を相対的に長くし、さらには、アモルファス状態から結晶化状態に戻すデータの消去を十分に行なうことで、高速記録時のアーカイバルオーバーライト特性を改善することが可能となる。特に、αの値が０．２５≦α≦０．５０であれば、Ｐｂの値を０．５０×Ｐｂ１＋０．５０×Ｐｂ２以上、０．２５×Ｐｂ１＋０．７５×Ｐｂ２以下に設定することで、記録マークサイズが大きくなることによって起こる隣接トラックのマーク信号の消去を抑えることができる。また、異なる情報記録装置で記録した場合に、記録パワーが異なることを想定したオーバーライト特性であるクロスパワーオーバーライト特性も良好な値に保つことができる。ここで、クロスパワーオーバーライト特性とは、最適な記録パワーを１００％とした時に、１０５％のパワーで記録したのちに、９０％の記録パワーでオーバーライトした時の特性である。
【００２３】
また、本発明の情報記録媒体を用いれば、記録の線速度が９ｍ／ｓｅｃ以上のような高速記録が可能であり、データ記録時の結晶核の生成およびデータ消去時の結晶化時間の保持が促進され、高速記録時のアーカイバルオーバーライト特性を改善することが可能となる。
【００２４】
また、本発明の情報記録媒体を用いて情報の記録を行なう情報記録装置を用いることで、同じ情報記録媒体を用いて、記録速度が異なる複数の情報記録装置により記録を行なう場合において、あらかじめ情報記録媒体に記載されている記録速度と消去パワーの情報を、情報記録装置が読み出し、情報の記録を行なうことで、情報記録装置の記録互換を得ることができる。
【発明の効果】
【００２５】
本発明の情報記録方法及び情報記録媒体を用いれば、記録速度に応じて最適化された消去パワーで記録を行うことができ、しかもアーカイバルオーバーライト特性が最良となる。本発明の情報記録装置は、最適化された消去パワーに関する情報を情報記録媒体から読み出して、最適化された消去パワーで記録を実行することが可能となる。
【発明を実施するための最良の形態】
【００２６】
以下、本発明者らが行なった実験の結果をもとに本発明の実施例を説明する。
【００２７】
情報記録媒体として、４．７ＧＢＤＶＤ−ＲＡＭのフォーマットを基準とする、トラックピッチ１．２μｍ、溝深さ６３ｎｍの凹凸の案内溝で表面が覆われている半径１２０ｍｍ、厚さ０．６ｍｍのポリカーボネート基板の上に、スパッタリングプロセスにより、第１保護層としてＺｎＳ−ＳｉＯ２を１００ｎｍ、第１界面層としてＧｅＣｒＮを１０ｎｍ、記録層としてＢｉＧｅＴｅを１０ｎｍ、第２界面層としてＧｅＣｒＮを１０ｎｍ、第２保護層としてＺｎＳ−ＳｉＯ２を５０ｎｍ、熱吸収率補正層層としてＧｅＣｒを５０ｎｍ、熱拡散層としてＡｌを１２０ｎｍ、順次成膜し、実施例に使用した情報記録媒体を得た。
【００２８】
この情報記録媒体を、レーザー初期化装置を用いて結晶化させた後、記録再生特性を調べるにあたり、図４示す光記録媒体情報記録再生装置を用いた。
【００２９】
以下に本実施例で用いた光記録媒体情報記録再生装置の動作、記録再生過程を説明する。まず、記録装置外部からの情報は８ビットを１単位として、８−１６変調器４７に伝送される。情報記録媒体４１に情報を記録する際には、情報８ビットを１６ビットに変換する変調方式、いわゆる８−１６変調方式を使う。この変調方式では情報記録媒体上に、８ビットの情報に対応させた３Ｔ〜１４Ｔのマーク長の情報の記録を行なっている。図中８−１６変調器４７はこの変調を行なっている。なお、ここでＴとは情報記録時のデータのクロック長を表しており、本実施例では、記録の線速度８．２ｍ／ｓｅｃのときに１７．１ｎｓ、１６．４ｍ／ｓｅｃのときに８．６ｎｓ、２４．６ｍ／ｓｅｃのときに５．７ｎｓとした。
【００３０】
８−１６変調器４７により変換された３Ｔ〜１４Ｔのデジタル信号は、記録波形発生回路４５に転送され、記録パワーである第１のパワーレベルＰｐのパワーのパルスの幅を約Ｔ／２とし、Ｐｐのレーザー照射時間に幅が約Ｔ／２の、第１のパワーレベルＰｐと消去パワーである第２のパワーレベルＰｂのパワーのレーザー照射を行ない、上記一連のＰｐレベルのパルス間にパワーレベルＰｂのレーザー照射が行なわれるマルチパルス記録波形が生成される。また、上記記録波形発生回路４５内において、３Ｔ〜１４Ｔの信号を時系列的に交互に「０」と「１」に対応させ、「０」の場合にはＰｂのパワーレベルのレーザーパワー、「１」の場合にはＰｂのパワーレベルのレーザーパワーを照射している。この際、情報記録媒体４１上のＰｂのパワーレベルのレーザービームが照射された部位は結晶となり、Ｐｐのパワーレベルのパルスを含む一連のパルス列で照射された部位はアモルファス（マーク部）に変化する。また、上記記録波形発生回路４５は、マーク部を形成するためのＰｐのパワーレベルのパルスを含む一連のパルス列を形成する際に、マーク部の前後のスペース長に応じて、図５に示すようなマルチパルス波形の先頭パルスの幅Ｔｆｐと最後尾のパルス幅Ｔｌｐを変化させる方式（適応型記録波形制御）に対応したマルチパルス波形テーブルを有しており、これによりマーク間に発生するマーク間熱干渉の影響を極力排除できるマルチパルス記録波形を発生している。
【００３１】
記録波形発生回路４５により生成された記録波形は、レーザー駆動回路（ドライバ）４６に転送され、レーザー駆動回路４６はこの記録波形をもとに、光ヘッド４３内の半導体レーザーを発光させる。本光記録媒体情報記録再生装置に搭載された光ヘッド４３は、情報記録用のレーザービームとして、波長６５５ｎｍの半導体レーザーが使用されている。また、このレーザー光をＮＡ０．６の対物レンズにより上記情報記録媒体４１の記録層上に絞込み、上記記録波形に対応したレーザーのレーザービームを照射することにより記録を行なった。
【００３２】
また、本光記録媒体情報記録再生装置は、グルーブとランド（グルーブ間の領域）の両方に情報を記録する方式（いわゆるランドグルーブ記録方式）に対応している。本光記録媒体情報記録再生装置ではＬ／Ｇサーボ回路４８により、ランドとグルーブに対するトラッキングを任意に選択することができる。記録された情報の再生も上記光ヘッド４３を用いて行なった。レーザービームを記録されたマーク上に照射し、マークとマーク以外の部分からの反射光を検出することにより、再生信号を得る。この再生信号の振幅をプリアンプ回路４４により増大させ、８−１６復調器４９に転送する。８−１６復調器４９では１６ビットごとに８ビットの情報に変換する。以上の動作により、記録されたマークの再生が完了する。以上の条件で上記光情報記録媒体４１に記録を行なった場合、最短マークである３Ｔマークのマーク長は約０．４２μｍ、最長マークである１４Ｔマークのマーク長は約１．９６μｍとなる。
【００３３】
ジッタの評価を行なう際には、３Ｔ〜１４Ｔを含むランダムパターンの信号の記録再生を行ない、再生信号に波形等価、２値化、ＰＬＬ（Ｐｈａｓｅ  Ｌｏｃｋｅｄ  Ｌｏｏｐ）処理を行ない、ジッタを測定した。なお、信号の再生は、記録速度によらず、線速度８．２ｍ／ｓｅｃで一定とした。
【００３４】
特性の評価に関し、以下に示すアーカイバルオーバーライトジッタ、クロスパワーオーバーライトジッタ、クロスイレーズジッタの測定を行なった。
【００３５】
まず、アーカイバルオーバーライトジッタとして、トラックにランダムパターンを１０回記録した後に、加速試験として、９０℃３０％Ｒ．Ｈ．環境に２０時間保存したのち、室温に戻し、ランダムパターンを上書きして、再生のレーザーパワーＰｒを１．０ｍＷに設定し、ジッタを測定した。本発明者らが検討した結果、アーカイバルオーバーライトジッタの上昇は、９０℃３０％Ｒ．Ｈ．環境に２０時間保存することでほぼ飽和することから、本環境で特性を保証できれば、室温で１０年相当のオーバーライト特性を保証できると考える。本実施例では、アーカイバルオーバーライトジッタとして、２〜６倍速記録である線速度８．２〜２４．６ｍ／ｓｅｃ、クロック長１７．１〜５．７ｎｓ、データ転送レート２２〜６６Ｍｂｐｓで記録を行なったときのジッタの目標値を１０％以下、規格上限値として１１％以下に設定している。ここで規格上限値とは、実際にドライブで問題なく使用することのできる特性の上限値を示している。
【００３６】
また、クロスパワーオーバーライトジッタとして、トラックにランダムパターンを１０回最適レーザーパワーで記録した後に、最適レーザーパワーの１０５％のパワーで１回オーバーライトし、さらに最適レーザーパワーの９０％のパワーでその上に１回オーバーライトして、再生のレーザーパワーＰｒを１．０ｍＷに設定し、ジッタを測定した。クロスパワーオーバーライトジッタは、異なるドライブで異なる記録パワーで重ね書きしたときのデータの信頼性を保証する特性すなわちドライブの記録互換をあらわす特性である。本実施例では、クロスパワーオーバーライトジッタとして、ジッタの目標値を１１％以下、規格上限値として１２％以下に設定している。
【００３７】
さらに、クロスイレーズジッタとして、真中のトラックにランダムパターンを１０回記録したのち、両脇のトラック、および、さらにその両脇のトラックに内周から外周に順番にランダムパターンを１０回記録した後に、５トラックの中心のトラックで、再生のレーザーパワーＰｒを１．０ｍＷに設定し、ジッタ値を測定した。クロスイレーズジッタは、隣接トラックの記録によるマークの消去、および、隣接トラックからの再生信号の漏れこみをあらわす特性である。本実施例では、クロスイレーズジッタとして、ジッタの目標値を８％以下、規格上限値として９％以下に設定している。
【００３８】
以下、上記光記録媒体情報記録再生装置を使用して、記録パルス列の構成（記録ストラテジ）と線速度を変えてデータを記録再生し、ジッタの値を調べた手順について説明する。本実施例では、２倍速記録として、記録の線速度を８．２ｍ／ｓｅｃ、記録データのクロック長を１７．１ｎｓ、データ転送レートを２２Ｍｂｐｓに設定している。また、４倍速記録として、記録の線速度を１６．４ｍ／ｓｅｃ、記録データのクロック長を８．６ｎｓ、データ転送レートを４４Ｍｂｐｓに設定している。また、６倍速記録として、記録の線速度を２４．６ｍ／ｓｅｃ、記録データのクロック長を５．７ｎｓ、データ転送レートを６６Ｍｂｐｓに設定している。
【００３９】
また、各線速度における記録ストラテジおよび記録パワーＰｐ、消去パワーＰｂの決定は以下のように行なった。
【００４０】
まず、ランドにおいて、仮のレーザーパワーとして、２倍速記録のときにＰｐ０＝１０．５ｍＷ，Ｐｂ０＝４．０ｍＷ、４倍速記録のときにＰｐ０＝１３．０ｍＷ，Ｐｂ０＝５．０ｍＷ、６倍速記録のときにＰｐ０＝１４．０ｍＷ，Ｐｂ０＝５．５ｍＷに設定した。各記録速度において、この仮のレーザーパワーを用いて３Ｔ〜１４Ｔのマークの記録を行ない、マーク間に発生するマーク間熱干渉が最小になるように、図５に示す記録波形において、３Ｔ〜１４Ｔのマーク前後の先頭パルスの幅Ｔｆｐと最後尾のパルス幅Ｔｌｐを決め、これを記録ストラテジとした。このときマルチパルスの幅Ｔｍｐは各記録速度のクロック長の半分とした。
【００４１】
次に、各記録速度において、上記記録ストラテジを用いて、記録パワーを上記仮の記録パワーＰｐ０に設定し、消去パワーＰｂを２．０ｍＷから８．０ｍＷまで０．２ｍＷ刻みに設定し、ランダムパターンを１０回記録した後に、再生のレーザーパワーＰｒを１．０ｍＷに設定して、ジッタを測定し、図６に示すジッタの消去パワー依存性を調べた。実際にデータを記録するときに用いる消去パワーＰｂを決める方法として、図６のジッタの消去パワー依存性において、ジッタが１３％となる消去パワーのうち、低い方の消去パワーをＰｂ１、高い方の消去パワーをＰｂ２とした。なお、本検討に関し、２倍速記録においてＰｂ１＝２．５ｍＷ，Ｐｂ２＝６．１ｍＷ、４倍速記録においてＰｂ１＝３．５ｍＷ，Ｐｂ２＝６．８ｍＷ、６倍速記録においてＰｂ１＝４．３ｍＷ，Ｐｂ２＝７．４ｍＷであった。また、このときの各記録速度における記録パワーに対するジッタをプロットしたカーブの形状は、Ｐｂ１、Ｐｂ２のパワーレベルが異なってシフトしているだけでなく、ジッタが低く安定しているパワー範囲や、その低ジッタパワー範囲が、２倍速ではＰｂ１−Ｐｂ２の中心値であったのに対し、記録速度が高速になると、Ｐｂ１−Ｐｂ２の中心値から高パワー側にシフトしたカーブになっていることがわかった。このことから、Ｐｂを単に（Ｐｂ１−Ｐｂ２）／２に設定しただけでは、記録速度によっては、最小のジッタが得られることは限らないと言える。
【００４２】
さらに、各記録速度において、データを記録するときに用いる消去パワーＰｂを決める方法として、Ｐｂ１とＰｂ２の比率から、Ｐｂ＝α×Ｐｂ１＋（１−α）×Ｐｂ２として設定し、上記消去パワーにおいてα＝０．２〜０．６とαの値を変化させてＰｂの値を求めた。
【００４３】
求めた各Ｐｂの値に対して、上記記録ストラテジを用いて、記録パワーを８．０ｍＷから１６．０ｍＷまで０．５ｍＷ刻みに設定し、ランダムパターンを１０回記録した後に、再生のレーザーパワーＰｒを１．０ｍＷに設定して、ジッタを測定し、図７に示すジッタの記録パワー依存性を調べた。図７のジッタの記録パワー依存性において、ジッタが１３％となる記録パワーＰｐｌに対し、最適記録パワーＰｐはＰｐｌの関数としてＰｐ＝Ｋ×Ｐｐｌとして求めた。ここで最適記録パワーは、２倍速記録ではＫ＝１．２５、４倍速記録ではＫ＝１．３０、６倍速記録ではＫ＝１．３０とした。
【００４４】
このようにして求めた記録ストラテジと記録パワーＰｐと消去パワーＰｂを用いて、ランドにおいて、各記録速度に関し、記録信号の品質として上記アーカイバルオーバーライトジッタ、クロスパワーオーバーライトジッタ、クロスイレーズジッタの測定を行ない、消去パワーＰｂを決定する際のαの値と、記録信号の品質の関係を調べた。
【実施例１】
【００４５】
２倍速記録である線速度８．２ｍ／ｓｅｃにおいて、αの値を０．５０、０．４０、０．３５、０．３０、０．２５、０．２０と変化させて、各消去パワーにおける記録パワーを求めたのち、各αの値におけるアーカイバルオーバーライトジッタ、クロスパワーオーバーライトジッタ、クロスイレーズジッタを調べた。また、比較のため、αの値を０．６０とした場合についてもアーカイバルオーバーライトジッタ、クロスパワーオーバーライトジッタ、クロスイレーズジッタを調べた。結果を表１に示す。
【００４６】
【表１】
2007234222.tif 000003
【００４７】
線速度８．２ｍ／ｓｅｃで２倍速の記録を行なった場合、アーカイバルオーバーライトジッタに関しては、α＝０．６０〜０．２５まではほぼ一定で、αの値がこの値より小さいと少しジッタが悪くなっている。また、クロスパワーオーバーライトジッタに関しては、α＝０．６０〜０．３５までほぼ一定で、これよりαの値が小さいとジッタが悪くなる傾向が見える。また、クロスイレーズジッタに関しては、α＝０．６０〜０．４０までほぼ一定で、これよりαの値が小さいとジッタが悪くなっている。
【００４８】
アーカイバルオーバーライトジッタの目標値を１０％、クロスパワーオーバーライトジッタの目標値を１１％、クロスイレーズジッタの目標値を８％とした場合、線速度８．２ｍ／ｓｅｃの２倍速記録では、α＝０．５０において、目標値を達している。また、特性の許容限界として、アーカイバルオーバーライトジッタの規格上限値を１１％、クロスパワーオーバーライトジッタの規格上限値を１２％、クロスイレーズジッタの規格上限値を９％とした場合、線速度８．２ｍ／ｓｅｃの２倍速記録では、α＝０．６０〜０．４０において、規格値を満たしている。しかしながら、各特性のマージンを考慮すると、線速度８．２ｍ／ｓｅｃの２倍速の記録では、α＝０．５０に設定するのがもっとも好ましいといえる。
【００４９】
４倍速記録である線速度１６．４ｍ／ｓｅｃにおいて、αの値を０．５０、０．４０、０．３５、０．３０、０．２５、０．２０と変化させて、各消去パワーにおける記録パワーを求めたのち、各αの値におけるアーカイバルオーバーライトジッタ、クロスパワーオーバーライトジッタ、クロスイレーズジッタを調べた。また、比較のため、αの値を０．６０とした場合についてもアーカイバルオーバーライトジッタ、クロスパワーオーバーライトジッタ、クロスイレーズジッタを調べた。結果を表２に示す。
【００５０】
【表２】
2007234222.tif 000004
【００５１】
線速度１６．４ｍ／ｓｅｃで４倍速の記録を行なった場合、アーカイバルオーバーライトジッタに関しては、α＝０．４０〜０．２０まではほぼ一定で、αの値がこれより大きい場合にジッタが悪くなっている。また、クロスパワーオーバーライトジッタに関しては、α＝０．４０〜０．３０までほぼ一定で、αの値がこの前後でジッタが悪くなる傾向が見える。クロスイレーズジッタに関しては、α＝０．６０〜０．２５までほぼ一定で、αの値がこれより小さい場合にジッタが悪くなる傾向が見える。
【００５２】
線速度１６．４ｍ／ｓｅｃの４倍速の記録では、α＝０．４０〜０．３５で目標値を満たしている。また、α＝０．５０〜０．２５で規格上限値を満たしている。この範囲で、アーカイバルオーバーライトジッタとクロスイレーズジッタが最小になるところを考慮すると、線速度１６．４ｍ／ｓｅｃの４倍速の記録では、α＝０．３５に設定するのがもっとも好ましいといえる。
【００５３】
線速度８．２ｍ／ｓｅｃで記録した場合と較べて、線速度１６．４ｍ／ｓｅｃでより高速に記録した場合では、明らかに、αを０．５よりも小さくしたときに、アーカイバルオーバーライトジッタが改善している。特にアーカイバルオーバーライトジッタに関しては、αの最適値が小さいほうにシフトしているだけでなく、αの範囲自体が２倍速時の半分程度に狭まっており、最適な記録ストラテジーを設定することがより重要になる。
【００５４】
６倍速記録である線速度２４．６ｍ／ｓｅｃにおいて、αの値を０．５０、０．４０、０．３５、０．３０、０．２５、０．２０と変化させて、各消去パワーにおける記録パワーを求めたのち、各αの値におけるアーカイバルオーバーライトジッタ、クロスパワーオーバーライトジッタ、クロスイレーズジッタを調べた。また、比較のため、αの値を０．６０とした場合についてもアーカイバルオーバーライトジッタ、クロスパワーオーバーライトジッタ、クロスイレーズジッタを調べた。結果を表３に示す。
【００５５】
【表３】
2007234222.tif 000005
【００５６】
線速度２４．６ｍ／ｓｅｃで６倍速の記録を行なった場合、アーカイバルオーバーライトジッタに関しては、α＝０．３５〜０．２５まではほぼ一定で、αの値がこれより大きい場合にジッタが悪くなっている。また、クロスパワーオーバーライトジッタに関しては、α＝０．３５〜０．２０までほぼ一定で、αがこの値より大きいとジッタが悪くなる傾向が見える。クロスイレーズジッタに関しては、α＝０．６０〜０．２５までほぼ一定で、αの値がこれより小さい場合にジッタが悪くなる傾向が見える。
【００５７】
線速度２４．６ｍ／ｓｅｃの６倍速の記録では、α＝０．３５〜０．２５で目標値をみたしている。また、α＝０．４０〜０．２０で規格上限値を満たしている。この範囲で、アーカイバルオーバーライトジッタとクロスイレーズジッタが最小になるところを考慮すると、線速度２４．６ｍ／ｓｅｃの６倍速の記録では、α＝０．３０に設定するのがもっとも好ましいといえる。線速度８．２ｍ／ｓｅｃで記録した場合、線速度１６．４ｍ／ｓｅｃで高速に記録した場合と較べて、線速度２４．６ｍ／ｓｅｃでより高速に記録した場合では、明らかに、αの値を線速度が２倍速（線速度８．２ｍ／ｓｅｃ）あるいは４倍速（線速度１６．４ｍ／ｓｅｃ）の場合のαの値よりも小さくしたときに、アーカイバルオーバーライトジッタが改善している。またαの最適値は４倍速時よりもさらに小さいほうにシフトしているだけでなく、αの範囲自体もさらに４倍速時の半分程度にまで狭まっており、最適な記録ストラテジーを設定することがより重要になる。
【００５８】
以上、実施例１の結果をまとめると、消去パワーレベルＰｂを、再生パワーＰｒよりも大きくＰｂよりも小さい値Ｐｂ１と、Ｐｂよりも大きく記録パワーＰｐよりも小さい値Ｐｂ２を用いてＰｂ＝α×Ｐｂ１＋（１−α）×Ｐｂ２と定義するとき、アーカイバルオーバーライトジッタ、クロスパワーオーバーライトジッタ、クロスイレーズジッタを良くするもっとも好ましいαの値は、線速度８．２ｍ／ｓｅｃで記録するときはα＝０．５０、線速度１６．４ｍ／ｓｅｃで記録するときはα＝０．３５、線速度２４．６ｍ／ｓｅｃで記録するときはα＝０．３０である。
【００５９】
実施例１のαの最適範囲についての比較を表４に示す。アーカイバルオーバーライトジッタとクロスパワーオーバーライトジッタについては、記録速度に対応するαの値、範囲ともに大きく異なり、クロスイレーズジッタを含めて全ての特性で良好であり、且つ、全ての記録速度をカバーできるαは存在しないので、記録速度に応じたαを設定し、記録パワーＰｐと消去パワーＰｂを設定する必要がある。
【００６０】
【表４】
2007234222.tif 000006
【００６１】
このように、記録の線速度によって最適なαが異なる理由は次のように考えられる。記録の高速化に伴い、記録過程における結晶核生成の減少、および、消去過程における結晶化の不充分が生じ、アーカイバルオーバーライト特性が悪くなる。これに対し、記録の線速度に伴い、消去パワーのジッタ依存性から求める消去パワーの定義を変えて、最適な消去パワーで記録を行なうことにより、記録過程における結晶核の生成と消去過程における結晶化を促進していると考える。
【００６２】
しかしながら、消去パワーを高くすることで、アーカイバルオーバーライトジッタ、クロスパワーオーバーライトジッタ、クロスイレーズジッタが悪くなることから、各記録速度において適切な消去パワーの設定、すなわち、適切なαの値が存在する。つまり、Ｐｂ１とＰｂ２とＰｂの関係に関する情報をあらかじめ媒体上に記録しておくことで、好適な消去パワーで記録を行なうことができ、アーカイバルオーバーライトジッタを改善することができる。さらには、Ｐｂの値をＰｂ１の値とＰｂ２の値の比率であらわす上記αに関する情報をあらかじめ媒体上に記録しておくことで、各記録速度において、好適な消去パワーで記録を行なうことができ、アーカイバルオーバーライトジッタ、クロスパワーオーバーライトジッタ、クロスイレーズジッタを改善することができる。
【００６３】
以上説明したように、情報記録媒体とレーザービームを一定の範囲の線速度で相対的に走査させ、レーザービームのレーザーパワーを、少なくとも記録レーザーパワーＰｐと、記録レーザーパワーレベルよりも低い消去レーザーパワーレベルＰｂをパワー変調して、情報記録媒体の情報記録部の状態を変化させることにより情報の記録が行なわれ、上記消去レーザーパワーレベルＰｂより低いレベルの再生レーザーパワーレベルＰｒのレーザービームにより情報の再生が行なわれる情報記録媒体であって、Ｐｒよりも大きくＰｂよりも小さい値Ｐｂ１と、Ｐｂよりも大きくＰｐよりも小さい値Ｐｂ２と、Ｐｂの関係に関する情報が記録されていることを特徴とする情報記録媒体を用いることで、高速記録を行なったときのオーバーライト特性、特に、高温の環境に媒体を一定時間保存したのち情報を重ね書きするアーカイバルオーバーライト特性を改善することができる。
【実施例２】
【００６４】
この実施例では、上記実施例１で得られたαの好適な値を予め記録した情報記録媒体を、情報記録再生装置で再生し、そのαの値を用いてデータの読み書きを行ない、アーカイバルオーバーライト特性を調べた。
【００６５】
４．７ＧＢＤＶＤ−ＲＡＭのフォーマットを有するディスクであって、そのコントロールデータ部に、２倍速の場合と同じように、５倍速と６倍速の記録ストラテジに関する情報、記録の感度係数、およびαの情報を書きこんだディスクを製造するためのスタンパを作製した。このとき、５倍速、６倍速記録時のαの値がそれぞれα＝０．５０、α＝０．５０のスタンパＡと、５倍速、６倍速記録時のαの値がそれぞれα＝０．４０、α＝０．３５のスタンパＢの２種類を作製した。ここでαは、消去パワーＰｂを、Ｐｂ＝α×Ｐｂ１＋（１−α）×Ｐｂ２、Ｐｂ１＜Ｐｂ２の関係式から求める係数である。
【００６６】
スタンパＡおよびスタンパＢを用いて、ポリカーボネート基板Ａおよび基板Ｂを射出成形により成形した。得られた基板上にスパッタリングにより、第１保護層としてＺｎＳ−ＳｉＯ２を１００ｎｍ、第１界面層としてＧｅＣｒＮを１０ｎｍ、記録層としてＢｉＧｅＴｅを１０ｎｍ、第２界面層としてＧｅＣｒＮを１０ｎｍ、第２保護層としてＺｎＳ−ＳｉＯ２を５０ｎｍ、熱吸収率補正層層としてＧｅＣｒを５０ｎｍ、熱拡散層としてＡｌを１２０ｎｍ、順次成膜して情報記録媒体を得た。得られた情報記録媒体１における情報記録部７５とコントロールデータ部７１を概略的に図８に示す。この情報記録媒体の初期化を行ない、ディスクＡおよびディスクＢとした。この作製したディスクＡおよびディスクＢを用いて、ドライブで５倍速記録および６倍速記録を行なった。
【００６７】
ここで、使用した５倍速記録および６倍速記録を行なう記録再生装置（ドライブ装置）の動作を説明する。（１）まずコントロールデータ部に書かれている各速度の記録ストラテジと試し書きの記録パワーの情報を読み込む。（２）次に、読みこんだ記録ストラテジの記録波形と記録パワーを用いて、消去パワーを変化させてランダムパターンの記録を行ない、エラーが閾値を越える消去パワーＰｂ１、Ｐｂ２（Ｐｂ１＜Ｐｂ２）を求める。ここで、エラーの閾値の判別は、エラー訂正後のエラーの個数が数百個から数個に急激にかわるパワーとした。（３）Ｐｂ１、Ｐｂ２の値を用いて、Ｐｂ＝α×Ｐｂ１＋（１−α）×Ｐｂ２の式から、実際に記録を行なうときの最適な消去パワーＰｂの値を決める。（４）求めた最適な消去パワーＰｂの値を用いて、記録パワーを変化させて６Ｔパターンの記録を行ない、コントロールデータ部分に書かれている６Ｔパターンのアシンメトリの値が得られる記録補償パワーを求める。（５）この記録補償パワーと最適な消去パワーで記録ストラテジの最適化を行なう。ここで、記録ストラテジの最適化は、マーク部の前後のスペース長に応じて、マルチパルス波形の先頭パルスの幅Ｔｆｐと最後尾のパルス幅Ｔｌｐを変化させて、エラーレートが最小となるように行なった。（６）最適化した記録ストラテジの波形と、消去パワーＰｂを用いて、記録パワーを変化させてランダムパターンの記録を行ない、エラーが閾値を超える記録パワーを求める。（７）次に、コントロールデータ部に書かれている記録パワーの感度係数の情報を読みこみ、求めた記録パワーに感度係数を掛けて、最適な記録パワーとする。（８）上記（１）から（７）の工程を、５倍速記録、６倍速記録で各々行ない、求めた最適なストラテジ、最適な記録パワー、最適な消去パワーを用いて、記録再生装置におけるデータの記録を行なう。
【００６８】
図４に記録再生装置の概略を示す。ディスク上に記録された消去パワーの係数αを読み出し、Ｐｂ＝α×Ｐｂ１＋（１−α）×Ｐｂ２の関係式から消去パワーＰｂを算出するのは、Ｐｂ算出制御部４１０である。本発明の情報記録装置は、主にＰｂ算出制御部４１０を有する以外は、従来の２倍速または３倍速の記録装置（ドライブ装置）と同様の構造を有する。
【００６９】
次に、ディスクＡおよびディスクＢに、ドライブで５倍速記録および６倍速記録時のアーカイバルオーバーライト特性を調べる手順を示す。まず、求めた最適パワーでランダムデータの１０回書きを行なう。記録が終わったディスクを、９０℃３０％Ｒ．Ｈ．環境に２０時間保存したのち、室温に戻し、再度、同じ位置にランダムデータの１回書きを行なう。その後、記録が終わったディスクを、前記光記録媒体情報記録再生装置を用いて、記録したデータの２倍速再生を再生パワーＰｒ＝１ｍＷで行ない、環境試験後のアーカイバルオーバーライトジッタを調べた。
【００７０】
ドライブでディスク記録を行なう半径位置として、５倍速記録は半径４３．３０ｍｍから４４．２０ｍｍ、６倍速記録は半径４５．２３ｍｍから４６．１３ｍｍに記録を行なった。また、環境試験後にジッタを調べる際には、記録領域に対し、５トラックおきに再生ジッタを調べ、その平均値を環境試験後のアーカイバルオーバーライトジッタとした。
【００７１】
なお、環境試験後にドライブでランダムデータの１回書きを行なう際、ドライブは前述の最適なストラテジ、最適な記録パワー、最適な消去パワーを求める工程を再度行なうが、環境試験前後で、求まる最適なストラテジ、最適な記録パワー、最適な消去パワーは変化していなかった。
【００７２】
上記ディスクＡおよびディスクＢを用いて、ドライブで５倍速記録および６倍速記録時のアーカイバル特性を調べた結果を表５に示す。
【００７３】
【表５】
2007234222.tif 000007
【００７４】
表５の結果からも分かるように、Ｐｒよりも大きくＰｂよりも小さい値Ｐｂ１と、Ｐｂよりも大きくＰｐよりも小さい値Ｐｂ２と、Ｐｂの関係に関する情報αが記録されていることを特徴とする情報記録媒体を用いて高速記録を行なう場合、記録速度に応じてαを好適な値に設定することにより、高温の環境に媒体を一定時間保存したのち情報を重ね書きするアーカイバルオーバーライト特性を改善することができることが分る。
【００７５】
上記実施例では、ランドでデータの記録を行なっているが、グルーブで記録を行なった場合でも同様の効果が得られている。また、本実施例では特に記録の半径位置を記していないが、半径２４〜５８ｍｍの任意の半径で同様の効果が得られている。さらに、本実施例では信号の再生を線速度８．２ｍ／ｓｅｃで行なっているが、本発明の本質は高速記録過程の改善にあるので、特に再生の速度によらず本発明の効果を得ることができる。
【００７６】
また、本発明は、記録の高速化に伴うアーカイバルオーバーライト特性を改善するため、情報記録媒体上に記録速度の情報とともに消去パワーの定義に関する情報を記録することに特徴があり、情報記録媒体の構成、組成およびその結晶化速度、結晶化温度、結晶核生成温度、融点によらず、本発明の効果を得ることができる。
【００７７】
また、本実施例では、消去パワーのジッタ依存性からＰｂ１とＰｂ２の値を求めるのに閾値として１３％としているが、上記本発明の本質はジッタの閾値によるものではなく、また、Ｐｂ１とＰｂ２の値を求める際にジッタではなく、例えば、消去パワーのエラーレート依存性あるいは信号の振幅、Ｓ／Ｎ、アシンメトリ依存性から任意の閾値を用いて求めた場合でも本発明の効果は失われない。
【００７８】
また、本発明の実施例では波長６５５ｎｍの赤色レーザーを用いているが、本発明は特にレーザーの波長によるものではなく、青色レーザー、紫外線レーザー等の比較的短波長のレーザーを使用する情報記録装置およびこれに用いる情報記録媒体に対しても効果を発揮する。
【産業上の利用可能性】
【００７９】
本発明の情報記録方法、情報記録媒体及び情報記録装置によって、高速記録におけるオーバーライト特性、特に、高温の環境に媒体を一定時間保存した後、情報を重ね書きするアーカイバルオーバーライト特性を改善することができる。それゆえ、本発明は、周囲環境に拘わらず、大容量で且つ高速のデータ記録の信頼性を一層向上することができる。
【図面の簡単な説明】
【００８０】
【図１】図１は、レーザービームの通過位置と媒体上に記録されるマークの形状を模式的に示す図である。
【図２】図２は、記録パワーが照射された場合の、領域Ａおよび領域Ｂの時間に対する温度履歴を模式的に示す図である。
【図３】図３は、消去パワーが照射された場合の、領域Ａおよび領域Ｂの時間に対する温度履歴を模式的に示す図である。
【図４】図４は、本発明の実施例で記録再生特性を調べるのに用いた情報記録媒体記録再生装置の概略図である。
【図５】図５は、本発明の実施例で記録再生特性を調べるのに用いた記録パルスのストラテジを説明する図である。
【図６】図６は、本発明の実施例で用いた消去パワーの定義を説明するジッタの消去パワー依存性の概略図である。
【図７】図７は、本発明の実施例で用いた記録パワーの定義を説明するジッタの記録パワー依存性の概略図である。
【図８】図８は、本発明に従う情報記録媒体における情報記録部とコントロールデータ部を示す概略図である。
【符号の説明】
【００８１】
４１  情報記録媒体
４２  モータ−
４３  光ヘッド
４４  プリアンプ回路
４５  記録波形発生回路
４６  レーザー駆動回路
４７  ８−１６変調器
４８  Ｌ／Ｇサーボ回路
４９  ８−１６復調器
【図１】
2007234222.tif 000008
【図２】
2007234222.tif 000009
【図３】
2007234222.tif 000010
【図４】
2007234222.tif 000011
【図５】
2007234222.tif 000012
【図６】
2007234222.tif 000013
【図７】
2007234222.tif 000014
【図８】
2007234222.tif 000015